(57)【特許請求の範囲】
【請求項１】
一つのビル内に引き込まれた複数の通信業者の複数本の通信業者側ケーブルと、当該ビル内に布設された複数本の構内側ケーブルとの、心線接続部を収納する通信ケーブル用配線盤であって、
前記複数本の通信業者側ケーブルと複数本の構内側ケーブルが導入されるキャビネット内に、それぞれ扉を有する複数の心線接続部収納ブロックを設け、各心線接続部収納ブロックは、特定の通信業者側ケーブルの心線、特定の構内側ケーブルの心線、又は構内側ケーブル内の特定のユーザーの心線と、その相手方のケーブルの心線との接続部のみを収納し、各心線接続部収納ブロックの扉は、個別に又は異なるグループ毎に、異なる鍵にて施錠可能としたことを特徴とする通信ケーブル用配線盤。
【請求項２】
一つのビル内に引き込まれた複数の通信業者の複数本の通信業者側ケーブルと、当該ビル内に布設された複数本の構内側ケーブルとの、心線接続部を収納する通信ケーブル用配線盤であって、
前記複数本の通信業者側ケーブルと複数本の構内側ケーブルが導入されるキャビネット内に、それぞれ扉を有する複数の心線接続部収納ブロックを設け、各心線接続部収納ブロックは、特定の通信業者側ケーブルの心線、特定の構内側ケーブルの心線、又は構内側ケーブル内の特定のユーザーの心線と、その相手方のケーブルの心線に接続されたジャンパー線との接続部のみを収納し、各心線接続部収納ブロックの扉は、個別に又は異なるグループ毎に、異なる鍵にて施錠可能としたことを特徴とする通信ケーブル用配線盤。
【請求項３】
心線接続部収納ブロックがキャビネットに着脱可能な箱型ユニットで構成され、キャビネットに心線接続部収納ブロックの増設スペースが設けられていることを特徴とする請求項１又は２に記載の通信ケーブル用配線盤。
【請求項４】
心線接続部収納ブロックに通信業者側ケーブル又は構内側ケーブルの固定部を設けたことを特徴とする請求項１、２又は３に記載の通信ケーブル用配線盤。
【発明の詳細な説明】
【０００１】
【発明の属する技術分野】
本発明は、ビル内に設置されて、通信業者側のケーブル（光ケーブル又はメタルケーブル）と、ビル内に布設された構内側ケーブル（同）との、心線接続部を収納する通信ケーブル用配線盤に関するものである。
【０００２】
【従来の技術】
従来は、一つのビルには一つの第一種通信業者のケーブルが引き込まれ、ビル内に設置された通信ケーブル用配線盤で、通信業者側のケーブルと構内側のケーブルとの心線接続が行われるのが一般的であった。しかし今後は一つのビルに複数の第一種通信業者の通信ケーブルが引き込まれ、複数の通信業者の複数本の通信ケーブルと、構内側の複数本の通信ケーブル（この中には複数のユーザーが含まれる）との間で、心線接続が行われることが考えられる。
【０００３】
【発明が解決しようとする課題】
このような場合、一つの通信ケーブル用配線盤に、複数の通信業者の複数本のケーブルと、構内側の複数本の通信ケーブルを導入して、その中で全ての心線接続を行うことは、例えばある通信業者所属の作業者が配線盤内で作業を行うときに、他の通信業者の心線接続部にも接触できる状態が生じることになり、保安上好ましくない。これを回避するためには、一つの通信業者毎に又は特定のユーザー毎に、通信ケーブル用配線盤を設置することが考えられるが、この方策では、通信ケーブル用配線盤の設置台数が増え、スペース効率の点からも、経済性の点からも好ましくない。
【０００４】
本発明の目的は、以上のような問題点に鑑み、保安上の問題がなく、しかも設置台数が少なくてすむ通信ケーブル用配線盤を提供することにある。
【０００５】
【課題を解決するための手段】
本発明の通信ケーブル用配線盤は、ビル内に引き込まれた複数の通信業者の複数本の通信業者側ケーブルと、ビル内に布設された複数本の構内側ケーブルとの、心線接続部を収納するものであって、
前記複数本の通信業者側ケーブルと複数本の構内側ケーブルが導入されるキャビネット内に、それぞれ扉を有する複数の心線接続部収納ブロックを設け、各心線接続部収納ブロックの扉は、個別に又は異なるグループ毎に、異なる鍵にて施錠可能としたことを特徴とするものである。
【０００６】
さらに具体的には、各心線接続部収納ブロックは、特定の通信業者側ケーブルの心線、特定の構内側ケーブルの心線、又は構内側ケーブル内の特定のユーザーの心線と、その相手方の通信ケーブルの心線との接続部のみを収納するようにしたものである。
【０００７】
本発明の通信ケーブル用配線盤は、心線接続部収納ブロックがキャビネットに着脱可能な箱型ユニットで構成され、キャビネットに心線接続部収納ブロックの増設スペースが設けられている構成とすることが好ましい。
また本発明の通信ケーブル用配線盤は、心線接続部収納ブロックに通信業者側ケーブル又は構内側ケーブルの固定部を設けた構成とすることが好ましい。
【０００８】
【発明の実施の形態】
以下、本発明の実施形態を、図面を参照して詳細に説明する。
【０００９】
〔実施形態１〕  図１は本発明の一実施形態を示す。図において、10はビル内に設置されるキャビネット、12はキャビネット10内で作業をするときに開閉する外扉、14Ａ、14Ｂはキャビネット10内に設置された複数の心線接続部収納ブロックである。各心線接続部収納ブロック14Ａ、14Ｂには内扉16が取り付けられ、かつ内扉16を自由に開閉できないようにする錠18Ａ、18Ｂが取り付けられている。錠18Ａと18Ｂは、異なる鍵で施錠されるようになっている。なおキャビネット10にも外扉12を自由に開閉できないようにする錠が取り付けられているが、図示を省略してある。またキャビネット10は外扉がない場合もある。
【００１０】
キャビネット10は、ビル内に引き込まれた複数本の通信業者側ケーブル20Ａ、20Ｂ（通常は光ケーブルであるが、メタルケーブルの場合もある）を導入する導入部22と、ビル内に布設された構内側ケーブル24Ａ、24Ｂ（同）を導入する導入部26を有している。一方の通信業者側ケーブル20Ａはある通信業者Ａのものであり、他方の通信業者側ケーブル20Ｂは別の通信業者Ｂのものである。また構内側ケーブル24Ａ、24Ｂは、一方が例えば１階から５階までをカバーし、他方が例えば６階から１０階までをカバーするというように、それぞれビル内の配線区画を受け持つものである。
【００１１】
この実施形態では、第一の心線接続部収納ブロック14Ａは通信業者Ａの通信ケーブル20Ａに割り当てられ、第二の心線接続部収納ブロック14Ｂは通信業者Ｂの通信ケーブル20Ｂに割り当てられている。すなわち、第一の心線接続部収納ブロック14Ａには、通信業者Ａの通信ケーブル20Ａの心線と、構内側ケーブル24Ａ、24Ｂのうち通信業者Ａと契約しているユーザーの心線24AA、24BAとの接続部のみが収納され、第二の心線接続部収納ブロック14Ｂには、通信業者Ｂの通信ケーブル14Ｂの心線と、構内側ケーブル24Ａ、24Ｂのうち通信業者Ｂと契約しているユーザーの心線24AB、24BBとの接続部のみが収納されるようになっている。
【００１２】
このようにすれば、第一の心線接続部収納ブロック14Ａの内扉16は錠18Ａの鍵を所持している者（通信業者Ａの関係者）しか開けられないので、通信業者Ａの関係者以外の者は第一の心線接続部収納ブロック14Ａ内の心線接続部に接触することはできない。同様に第二の心線接続部収納ブロック14Ｂの内扉16は錠18Ｂの鍵を所持している者（通信業者Ｂの関係者）しか開けられないので、通信業者Ｂの関係者以外の者は第二の心線接続部収納ブロック14Ｂ内の心線接続部に接触することはできない。したがって安全性は確保される。また一つのキャビネット10内で、複数の通信業者の複数本のケーブル20Ａ、20Ｂと、複数本の構内側ケーブル24Ａ、24Ｂの心線接続部を収納できるので、スペース効率、経済性の点でも有利である。
【００１３】
なお、心線接続部収納ブロック14Ａ、14Ｂは、内扉16を閉めれば内部に触れることができなくなる構造であれば、どのような構造でもよいが、キャビネット10に着脱可能な箱型ユニットにしておくと、キャビネットへの取り付けが容易になり、組立にも便利である。また心線接続部収納ブロックをキャビネットに着脱可能な構造にして、キャビネット10に心線接続部収納ブロックの増設スペースＳを設けておけば、後の回線の増加に容易に対応することができる。
【００１４】
またこの実施形態では、説明を簡単にするために、通信業者側ケーブルが２本、構内側ケーブルが２本、心線接続部収納ブロックが２個の場合を説明したが、これらの本数、個数は複数であればよく、特に限定されない。この点は以下の実施形態でも同様である。
【００１５】
〔実施形態２〕  図２は本発明の他の実施形態を示す。図２において、図１と同一部分には同一符号を付してある。この通信ケーブル用配線盤は、キャビネット10内に、それぞれ内扉16を有する四つの心線接続部収納ブロック14Ａ〜14Ｄを設置し、各内扉16に異なる鍵で施錠される錠18Ａ〜18Ｄを取り付けた上で、各心線接続部収納ブロック14Ａ〜14Ｄをそれぞれ異なるユーザーＡ〜Ｄに割り当てたものである。
【００１６】
すなわち、(1) 第一の心線接続部収納ブロック14Ａには、構内側ケーブル24Ａ内の、通信業者Ａと契約しているユーザーＡの心線24AAと、通信業者Ａのケーブル20Ａの心線との接続部のみを収納し、(2) 第二の心線接続部収納ブロック14Ｂには、構内側ケーブル24Ｂ内の、通信業者Ａと契約しているユーザーＢの心線24BAと、通信業者Ａのケーブル20Ａの心線との接続部のみを収納し、(3) 第三の心線接続部収納ブロック14Ｃには、構内側ケーブル24Ａ内の、通信業者Ｂと契約しているユーザーＣの心線24ABと、通信業者Ｂのケーブル20Ｂの心線との接続部のみを収納し、(4) 第四の心線接続部収納ブロック14Ｄには、構内側ケーブル24Ｂ内の、通信業者Ｂと契約しているユーザーＤの心線24BBと、通信業者Ｂのケーブル20Ｂの心線との接続部のみを収納するようにしたものである。
【００１７】
このようにすると、第一の心線接続部収納ブロック14Ａの扉16は、錠18Ａの鍵を所持している者（ユーザーＡの関係者）しか開けられず、第二の心線接続部収納ブロック14Ｂの扉16は、錠18Ｂの鍵を所持している者（ユーザーＢの関係者）しか開けられず、以下、第三、第四の心線接続部収納ブロック14Ｃ、14Ｄの場合も同様である。つまり、この実施形態の場合は、ユーザーが自己に割り当てられて心線接続部収納ブロックを管理できることになる。このような実施形態でも実施形態１と同様の効果を得ることができる。
【００１８】
なおこの実施形態の場合、例えば第一の心線接続部収納ブロック14Ａと第二の心線接続部収納ブロック14Ｂのユーザーが同じである場合には、錠18Ａと18Ｂは同じ鍵で施錠できるものであってもよい。
またこの実施形態は、第一と第二の心線接続部収納ブロック14Ａ、14Ｂが一方の通信業者のケーブル20Ａに割り当てられ、第三と第四の心線接続部収納ブロック14Ａ、14Ｂが他方の通信業者のケーブル20Ｂに割り当てられいると見ることもできる。この場合は、錠18Ａ、18Ｂは同じ鍵で、錠18Ｃ、18Ｄは前記鍵とは異なる同じ鍵で施錠できるようにしてもよい。
【００１９】
〔実施形態３〕  図３は本発明のさらに他の実施形態を示す。この実施形態が実施形態１と異なる点は、心線接続部収納ブロック14Ａ、14Ｂ内にそれぞれケーブル固定部28を設け、一方の通信業者側ケーブル20Ａの端部を第一の心線接続部収納ブロック14Ａに導入して、ケーブル固定部28で固定し、他方の通信業者側ケーブル20Ｂの端部を第二の心線接続部収納ブロック14Ｂに導入して、ケーブル固定部28で固定したものである。このようにすると、通信業者側ケーブル20Ａ、20Ｂの心線に関係者以外の者が接触するおそれがなくなり、より安全性を高めることができる。上記以外は実施形態１と同じであるので、図１と同一部分には同一符号を付して説明を省略する。
【００２０】
〔実施形態４〕  図４は本発明のさらに他の実施形態を示す。この通信ケーブル用配線盤は、キャビネット10内に、それぞれ内扉16を有する四つの心線接続部収納ブロック14Ａ〜14Ｄを設置し、各内扉16に異なる鍵で施錠される錠18Ａ〜18Ｄを取り付けた上で、心線接続部収納ブロック14Ａ、14Ｂをそれぞれ通信業者側ケーブル20Ａ、20Ｂに割り当て、心線接続部収納ブロック14Ｃ、14Ｄをそれぞれ構内側ケーブル24Ａ、24Ｂに割り当てたものである。
【００２１】
各心線接続部収納ブロック14Ａ〜14Ｄ内には、ケーブル固定部28Ａ、28Ｂが設けられ、これによって割り当てられたケーブルの端部が固定されるようになっている。また通信業者側ケーブル20Ａ、20Ｂの心線と、構内側ケーブル24Ａ、24Ｂはジャンパー線30AA、30AB、30BA、30BBを介して接続され、各心線接続部収納ブロック14Ａ〜14Ｄ内には割り当てられたケーブルの心線とジャンパー線との接続部が収納されるようになっている。
このようにすれば、さらに安全性を高めることができる。
【００２２】
【発明の効果】
以上説明したように本発明によれば、通信ケーブルが導入されるキャビネット内に複数の心線接続部収納ブロックを設け、各心線接続部収納ブロックの内扉を、個別に又は異なるグループ毎に、異なる鍵にて施錠可能としたことにより、特定の通信ケーブル又は特定のユーザーの心線接続部を特定の心線接続部収納ブロックに収納して特定の鍵で施錠できるので、心線接続部に関係者以外の者が接触するおそれをなくすことができる。したがって複数の通信業者の複数のケーブルと、複数本の構内側ケーブルとの心線接続部を、同じキャビネットに収納できるため、通信ケーブル用配線盤の設置スペースを小さくできると共に、コストを低減することができる。
【図面の簡単な説明】
【図１】  本発明に係る通信ケーブル用配線盤の一実施形態を示す斜視図。
【図２】  同じく他の実施形態を示す斜視図。
【図３】  同じくさらに他の実施形態を示す斜視図。
【図４】  同じくさらに他の実施形態を示す斜視図。
【符号の説明】
10：キャビネット
12：外扉
14Ａ〜14Ｄ：心線接続部収納ブロック
16：内扉
18Ａ〜18Ｄ：異なる鍵で施錠される錠
20Ａ：通信業者Ａのケーブル
20Ｂ：通信業者Ｂのケーブル
24Ａ、24Ｂ：構内側ケーブル
28：ケーブル固定部
30AA、30AB、30BA、30BB：ジャンパー線
【図１】
0004317318.tif 000002
【図２】
0004317318.tif 000003
【図３】
0004317318.tif 000004
【図４】
0004317318.tif 000005